(57)【要約】【課題】本発明は、視聴者が設定した時間に再生が終了するようにきめ細かく再生速度を設定することができる再生装置を提供することを目的とするものである。【解決手段】ＤＶＤ用ＣＰＵ２０の再生速度演算部２００では、リモコンの操作により設定時間が入力され、ＭＰＥＧデコーダ２３からは再生に必要な再生時間が入力されて両者の比率から再生速度が演算される。演算された再生速度は映像信号処理部２０１及び音声信号処理部２０２に入力され、映像信号処理部２０１では再生速度に合せて間引き再生が行われるとともに音声信号処理部２０２では音声信号が所定時間ごとにカットされて音声波形が調整される。そして、処理された両信号は同期制御部２０３で同期がとられて出力される。【選択図】図２
2007042219.tif 000002
【特許請求の範囲】
【請求項１】
記録媒体に記録された情報を読み出して再生する再生部と、前記再生部で再生された映像信号及び音声信号を処理する信号処理部と、前記再生部及び前記信号処理部を制御する制御部とを備えた再生装置であって、前記制御部は、外部入力により設定された再生に必要な設定時間情報及び前記再生部から入力された再生時間情報に基づいて再生速度を算出する再生速度演算手段を有し、前記信号処理部は、再生された前記映像信号を前記再生速度に対応して処理する映像信号処理手段と、再生された前記音声信号を前記再生速度に対応して処理する音声信号処理手段とを備えていることを特徴とする再生装置。
【請求項２】
前記映像信号処理手段は、前記映像信号を間引き再生することを特徴とする請求項１に記載の再生装置。
【請求項３】
前記音声信号処理手段は、前記音声信号をカットして音声波形を調整することを特徴とする請求項１又は２に記載の再生装置。
【請求項４】
請求項１から３のいずれかに記載の再生装置に、前記記録媒体に情報を記録する記録部を備えていることを特徴とする記録再生装置。
【発明の詳細な説明】
【技術分野】
【０００１】
本発明は、ビデオテープ、ＣＤ（Compact Disk）、ＤＶＤ（Digital Versatile Disk）、ＨＤＤ（Hard Disk Drive）等の記録媒体に記録された情報を再生する再生装置に関する。
【背景技術】
【０００２】
近年記録媒体の記録容量の大容量化が進み、テレビジョン放送、インターネット等のネットワークを通して配信される大量の映像情報や音声情報を家庭においても容易に蓄積することができるようになっている。したがって、自分の見たい番組等をとりあえず録画しておき、自分の見たい時間に見ることができるようになり、番組の放送時間に制約されることなく番組を視聴することが可能となる。また、映画を初めとする様々な映像情報についても大容量の記録媒体に記録されて流通するようになり、こうした映像情報についても高解像度の映像で手軽に家庭で視聴することができるようになっている。
【０００３】
しかしながら、このように大量の映像情報を蓄積することが可能となったとしてもこれらの情報を再生してすべて視聴することには時間的に無理がある。例えば、平日の５日間で録画した番組を週末の２日間ですべて見ることには限界がある。そのため、自分の見たい箇所だけを速く視聴することができるように、映像情報及び音声情報を高速再生して早見する再生技術が実用化されている。こうした高速再生技術としては、例えば、特許文献１には、符号化部が音声信号から所定の規則に従って符号化した符号化音声データに、解析部により特定された符号化音声データの復号化の際に参照される発生音を構成する各部の音の種類等を含む復号化補助情報を付加し、この補助情報を用いて任意の再生速度の音声データの復号化を可能とする点が記載されている。また、特許文献２には、車両が目的地に到着するまでの見込み所要時間を算出し、コンテンツ情報を再生する順番を含む番組表を作成し、コンテンツ情報を１つ再生するごとに、目的地への予定到着時刻と残り番組の再生終了時刻とを算出し、予定到着時刻と再生終了時刻との差が判定閾値を超えると、予定到着時刻より前に残り番組の再生が終了するように番組表を変更する点が記載されている。
【特許文献１】特開２００１−２４２８９０号公報
【特許文献２】特開２００３−１８７３８３号公報
【発明の開示】
【発明が解決しようとする課題】
【０００４】
上述した従来の高速再生技術は、大量の映像情報を視聴者のニーズに従って再生する際に有効であるものの視聴者が所定の時刻までに視聴し終えたいという要望には十分応えることができない。すなわち、従来の高速再生技術によれば、予め設定された再生速度（倍速、３倍速等）によって高速再生されるため、残りの映像情報が高速再生すると何時に終了するかはわからないので、視聴者は適当に高速再生の速度を選択して再生せざるを得ず、あまり速い速度で設定すると非常に視聴しにくくなり、また時刻を気にしながら視聴するため視聴に集中できない。
【０００５】
そこで、本発明は、視聴者が設定した時間に再生が終了するようにきめ細かく再生速度を設定することができる再生装置を提供することを目的とするものである。
【課題を解決するための手段】
【０００６】
本発明に係る再生装置は、記録媒体に記録された情報を読み出して再生する再生部と、前記再生部で再生された映像信号及び音声信号を処理する信号処理部と、前記再生部及び前記信号処理部を制御する制御部とを備えた再生装置であって、前記制御部は、外部入力により設定された再生に必要な設定時間情報及び前記再生部から入力された再生時間情報に基づいて再生速度を算出する再生速度演算手段を有し、前記信号処理部は、再生された前記映像信号を前記再生速度に対応して処理する映像信号処理手段と、再生された前記音声信号を前記再生速度に対応して処理する音声信号処理手段とを備えていることを特徴とする。さらに、前記映像信号処理手段は、前記映像信号を間引き再生することを特徴とする。さらに、前記音声信号処理手段は、前記音声信号をカットして音声波形を調整することを特徴とする。
【０００７】
本発明に係る記録再生装置は、上記の再生装置に、前記記録媒体に情報を記録する記録部を備えていることを特徴とする。
【発明の効果】
【０００８】
上記のような構成を有することで、外部入力により設定された再生に必要な設定時間情報及び再生部から入力された再生時間情報に基づいて再生速度を算出する再生速度演算手段を備えているので、視聴者が視聴し終えたい時刻までの時間を設定時間情報として入力すれば、入力された設定時間情報と再生時間情報から再生速度を算出して、視聴者が設定した時間で再生が終了するようにきめ細かく再生速度を調整することが可能となる。
【０００９】
したがって、視聴者は予め設定された再生速度を選択する必要がなく、視聴し終えたい時刻までの設定時間を入力するだけでよい。そのため、視聴者は残りの再生時間がどれくらいになるのか気にすることなく視聴に集中することができる。
【００１０】
ここで、再生時間情報とは、再生する情報ファイルの再生に必要な時間及び現時点までの再生時間に関する情報であり、再生時間情報から残りの再生時間がどれだけか算出することができる。また、再生部から再生時間情報として現時点の残りの再生時間を直接制御部に入力してもよい。
【００１１】
そして、再生された映像信号を前記再生速度に対応して処理する映像信号処理手段と、再生された音声信号を前記再生速度に対応して処理する音声信号処理手段とを備えることで、再生している途中から再生速度を変更しても算出された再生速度に合せて映像及び音声が再生されるので、視聴が困難となることはなく視聴者のニーズに合せて残りの視聴を行うことができる。
【００１２】
そして、映像信号を間引き再生して、音声信号をカットして音声波形を調整することで、再生速度を大きくなるように変更したことに伴う視聴者の違和感をできるだけ抑えることができる。
【発明を実施するための最良の形態】
【００１３】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１は、本発明に係る実施形態を備えたテレビジョン受信装置に関する全体ブロック図である。テレビジョン受信装置１は、全体制御に関する情報処理を行う本体ＣＰＵ１０、外部からのテレビジョン信号を受信するチューナ１１、映像を表示するモニタ１２、モニタ１２に内蔵された左右のスピーカ１３及び１４を有する。そして、チューナ１１からの出力信号は、クロマ信号処理回路１５で処理されて映像情報は映像出力装置としてのモニタ１２に送信されて表示制御され、音声情報は本体ＣＰＵ１０の制御により音声情報処理回路１６に送信されて音声出力装置としての左右のスピーカから音声出力される。
【００１５】
一方、テレビジョン受信装置１には、ＤＶＤ再生装置２が併設されており、ＤＶＤ再生装置２は、再生制御に関する情報処理を行うＤＶＤ用ＣＰＵ２０を有している。そして、図示しない回転制御装置により回転するディスク２１からピックアップ２２により記録された情報が読み取られ、ＭＰＥＧデコーダ２３により復号化される。復号化された情報はデジタル情報であるため、ビデオエンコーダ２４によりアナログ化されてクロマ信号処理回路１５及び音声情報処理回路１６に送信され、モニタ１２で映像表示されるとともに内蔵スピーカ１３及び１４で音声出力される。
【００１６】
また、チューナ１１にＤＶＤ再生装置２側のビデオデコーダ２５を接続して、チューナ１１で受信されたアナログ信号をデジタル信号に変換した後ＭＰＥＧエンコーダ２６で圧縮した後ピックアップ２２によりディスク２１に記録処理することもできる。
【００１７】
また、視聴者がリモコン３１を操作すると、その操作情報が操作情報入力部３０に受信されて本体ＣＰＵ１０に送信されるようになっている。リモコン３１には、チャンネル選択キーのほか各種機能キー、メニューや再生時間を選択する選択キー等が配設されている。
【００１８】
図２は、設定時間に応じて再生速度を調整するためのブロック構成図を示している。ＤＶＤ用ＣＰＵ２０の再生速度演算部２００は、リモコン３１で操作された設定時間情報が本体ＣＰＵ１０を介して入力される。
【００１９】
リモコン３１の操作は、例えば、再生速度変更キーを押下すると、画面に速度設定と時間設定の２種類の選択画面が表示され、時間設定を選択すると画面に「５：００」が表示されて「５分間」が選択肢として表示される。そして、選択キーを押下するごとに所定時間間隔（例；１０→２０→３０・・・）で時間表示が行われて、視聴者は希望の時間表示で決定キーを押下すれば設定時間がセットされる。そして、上述するように再生速度が変更開始されると、「５：００」の時間表示がカウントダウンを開始するようになる。こうした設定操作以外にも、視聴者が数字キーを用いて直接時間設定を行うようにしてもよい。
【００２０】
また、再生速度演算部２００には、ＭＰＥＧデコーダ２３から再生する情報ファイルの再生に必要な時間及び現時点までの再生時間に関する再生時間情報が入力される。そこで、再生時間情報に基づいて再生速度演算部２００は残りの再生に必要な再生残時間を算出する。そして、リモコンから入力された設定時間と再生残時間との比率から再生速度を演算する。例えば、設定時間が３０分で再生残時間が４５分の場合には、再生速度は１．５倍の速度となる。この場合再生速度は、通常の再生速度の倍率で求められることになる。  こうして算出された再生速度に関するデータは、ビデオエンコーダ２４の映像信号処理部２０１及び音声信号処理部２０２に入力される。一方、映像信号処理部２０１及び音声信号処理部２０２には、ＭＰＥＧデコーダ２３からそれぞれデコードされた映像信号及び音声信号が入力される。
【００２１】
映像信号処理部２０１では、再生速度演算部２００から入力された再生速度に合せて映像信号の再生処理が行われる。具体的には、デコードされたフレームを適宜間引き再生することで再生速度に合わせた映像信号が生成される。例えば、図３は、再生速度が１よりも大きい場合の再生速度に合せた再生処理を模式的に示した図である。図３（ａ）は、通常の再生処理の場合を示しており、映像信号は、フレーム１、フレーム２、フレーム３、・・・というようにデータが再生される。そして、図３（ｂ）は、再生速度が２倍となった場合の間引き再生の場合を示しており、フレーム２、フレーム４、フレーム６、・・・が間引かれて奇数番目のフレームに関するデータが再生される。図４は、再生速度が１より小さい場合の再生速度に合せた再生処理を模式的に示した図である。この場合には、通常再生よりも遅い再生速度で再生されるため、フレーム１、フレーム１、フレーム２、フレーム２、・・・というように各フレームを２回繰り返して再生するようにしている。
【００２２】
音声信号処理部２０２では、再生速度演算部２００から入力された再生速度に合せて音声信号の再生処理が行われる。具体的には、デコードされた音声信号を再生速度に合せて再生処理した後音声のピッチを通常再生に合せて調節するため映像信号の再生処理に合せて音声信号をカットする。例えば、再生速度が１よりも大きい場合、再生速度に合せて音声処理すると図３（ｂ）に示すように音声波形が縮まって音声のピッチが高くなる。そのため、音声が甲高くなることから、通常再生のピッチに戻すために、図３（ｃ）に示すように、所定時間毎にカットして（点線の囲みで表示）音声波形を伸ばすように調整している。また、図４に示すように、再生速度が１より小さい場合には、映像信号の各フレームが繰り返されることから、フレームの繰り返し部分に対応して音声信号のない区間を所定時間毎に挿入して音声波形を調整するようにしている。
【００２３】
映像信号処理部２０１及び音声信号処理部２０２で処理された信号は、同期制御部２０３に入力される。同期制御部２０３には、ＭＰＥＧデコーダ２３から音声信号及び映像信号を再生する時刻情報であるタイムスタンプデータが入力されており、同時刻のタイムスタンプデータに対応する音声信号及び映像信号が同期して出力されるように信号を適宜遅延させて調整する。したがって、図３（ｃ）に示すように、映像信号が間引き再生され音声信号がカットされて再生された場合にも映像信号及び音声信号の同期をとるように補正することができる。同様に、図４に示すように、映像信号がフレームの繰り返し再生が行われ音声信号に無音の区間が挿入再生される場合にも正確に同期がとられるように補正される。
【００２４】
同期制御部２０３で同期がとられた映像信号及び音声信号はＤ／Ａ変換部２０４に入力されてアナログ化された後、映像信号はクロマ信号処理回路１５に出力され、音声信号は音声情報処理回路１６に出力される。
【００２５】
以上の音声信号の再生処理では、音声信号のカットや無音区間の挿入でピッチの調整を行うようにしているが、こうした処理はトーンコントローラを用いて音声信号のトーン（音質）も含めて通常再生に近づけるように音声波形を調整すれば、再生速度の変更に伴う音声の違和感を抑えることができる。
【００２６】
再生速度の変更は、連続して変化させることができ、視聴者の設定時間に対してきめ細かく対応することができる。すなわち、３０フレーム／秒の映像信号があれば、再生速度に合せて３０フレームのうちから必要な枚数を間引いていけばよい。ただし、人間が視聴可能な範囲としては、１／２〜２倍の範囲に設定することが好ましい。そして、この範囲よりも再生速度が低くなるか高くなると視聴することが困難になるため、演算した再生速度がこの範囲を外れた場合には、下限（１／２倍）又は上限（２倍）の値に設定するか、再生変更ができない旨の画面表示を行うようにする。
【００２７】
なお、本実施形態では、ＤＶＤ用ＣＰＵ２０が本発明の制御部に、ビデオエンコーダ２４が本発明の信号処理部に、ピックアップ２２及びＭＰＥＧデコーダ２３が本発明の再生部に、ＭＰＥＧエンコーダ２６及びピックアップ２２が本発明の記録部にそれぞれ相当する。
【図面の簡単な説明】
【００２８】
【図１】本発明に係る実施形態を備えたテレビジョン受信装置に関する全体ブロック図である。
【図２】設定時間に応じて再生速度を調整するためのブロック構成図である。
【図３】映像信号及び音声信号の再生処理に関する説明図である。
【図４】映像信号及び音声信号の再生処理に関する別の説明図である。
【符号の説明】
【００２９】
１    テレビジョン受信装置
２    ＤＶＤ再生装置
10    本体ＣＰＵ
11    チューナ
12    モニタ
13    内蔵スピーカ
14    内蔵スピーカ
15    クロマ信号処理回路
16    音声情報処理回路
20    ＤＶＤ用ＣＰＵ
23    ＭＰＥＧデコーダ
24    ビデオエンコーダ
25    ビデオデコーダ
26    ＭＰＥＧエンコーダ
【図１】
2007042219.tif 000003
【図２】
2007042219.tif 000004
【図３】
2007042219.tif 000005
【図４】
2007042219.tif 000006